(57)【要約】      （修正有）【課題】ユーザの所望する時に見やすい時計表示を行うことができる携帯端末を提供する。【解決手段】ユーザが閉じている携帯電話機１を開くと、制御部１０の開閉検出機能１０１は携帯電話機１が開いたことを検出する。表示制御部１２はディスプレイ５２のバックライトを点灯する。次に時刻情報取得機能１０２は、時計部１８が示す時刻を点灯時刻として取得する。次に制御部１０は、開閉検出機能１０１により携帯電話機１が開いたことを検出すると、サイドキー５３ａが同時に押下されているかをキー操作検出部１３を介して検出する。サイドキー５３ａが同時に押下されている場合、表示制御部１２は、時計情報取得機能１０２が取得した点灯時刻に基づき、ディスプレイ５２に大きいサイズの時計を表示する。【選択図】図２
2011166533.tif 000002
【特許請求の範囲】
【請求項１】
筐体の開閉動作を検知する開閉検出部と、
時計表示よりも優先して表示させるアプリケーションの優先機能を格納する記憶部と、
前記開閉検出部で前記筐体が開いたことを検出した場合において、前記アプリケーションの優先機能が動作していないときには時刻情報の時計表示を行い、前記アプリケーションの優先機能が動作しているときには前記時計表示を行わない時計表示部と、
を備えたことを特徴とする携帯端末。
【請求項２】
複数のキー操作を検知するキー操作検知部を更に有し、
前記時計表示部は、
前記開閉検出部で前記筐体が開いたことを検知し、かつ、前記キー操作検知部が前記複数のキー操作のうちの特定のキー操作を検知した場合には、前記アプリケーションの優先機能が動作非動作にかかわらず前記時計表示を行う、
ことを特徴とする請求項１記載の携帯端末。
【請求項３】
前記時計表示部は、前記時計表示を行っているときに、前記アプリケーションの前記優先機能の動作が開始された場合、前記時計表示を消去する、
ことを特徴とする請求項１記載の携帯端末。
【請求項４】
前記時計表示部は、
前記時計表示を行っている期間が所定の時間を超えた場合、または前記キー操作検知部が特定のキー操作を検知した場合に、前記時計表示を消去する、
ことを特徴とする請求項１記載の携帯端末。
【請求項５】
前記時計表示部で最後に時計表示してからの時間Ｔを計時する計時部を更に有し、
前記時計表示が消去された後、前記計時部で計時した時間Ｔが所定の経過時間を超えた場合、前記時計表示部は再度前記時計表示を行う、
ことを特徴とする請求項１記載の携帯端末。
【発明の詳細な説明】
【技術分野】
【０００１】
本発明は、ディスプレイに時刻を表示する携帯端末に関する。
【背景技術】
【０００２】
携帯電話機をはじめとした携帯端末には、近年、電話やデータ通信以外にも、様々な機能が付随しており、ユーザの利便性を高めている。その一例として、時計表示機能がある。携帯電話機は、基地局からの情報や、近年多くの携帯電話機に搭載されているGPS（Global Positioning System）機能を用いて、常に正確な時刻を取得しディスプレイに時計表示することができる。携帯電話機のディスプレイに表示される時計により、時刻を確認するユーザも多い。
【０００３】
携帯電話機はユーザの時計表示設定により、アナログまたはデジタルの時計表示を、待受画面として、あるいは時計表示を他の画像の待受画面に重ねて、メインディスプレイのユーザの見やすい位置に表示する事ができる。この時計表示は、文字の大きさやデザインも選択可能であるため、ユーザは自身の見やすい大きさの時計表示に設定することも可能である。しかし、ユーザが携帯電話機に時計表示設定をしていない場合、通常の時計表示は携帯電話機のメインディスプレイの隅に小さく表示されていることが多く、時刻を確認しづらい。また、メインディスプレイの背面等にサブディスプレイを有する携帯電話機では、そのサブディスプレイにも時計表示できるものがあるが、一般的にサブディスプレイも小さい画面であり、やはりユーザには見づらいといった問題が残る。
【０００４】
特許文献１には、携帯端末の表示画面に待受画面が表示され、ユーザが携帯端末に所定の操作を行うと、最後に行った操作から所定時間が経過している場合のみ、表示画面にデジタルまたはアナログの大きな時計表示画面を一時的に表示する、という技術が開示されている。
【先行技術文献】
【特許文献】
【０００５】
【特許文献１】特開２００７−２４３２７５号公報
【発明の概要】
【発明が解決しようとする課題】
【０００６】
しかし、特許文献１では、必ずしもユーザの所望する時に大きな時計表示がされるとは限らない。また、ユーザが操作しようとする表示画面によっては、大きな時計表示が不必要な場合もあり、特許文献１の技術では、大きな時計表示が不必要な場合の判別が不可能であるという問題があった。
【０００７】
本発明はこのような点を考慮してなされたもので、ユーザの所望する時に見やすい時計表示を行うことができる携帯端末を提供することを目的とする。
【課題を解決するための手段】
【０００８】
本発明に係る携帯端末は、筐体の開閉動作を検知する開閉検出部と、時計表示よりも優先して表示させるアプリケーションの優先機能を格納する記憶部と、前記開閉検出部で前記筐体が開いたことを検出した場合において、前記アプリケーションの優先機能が動作していないときには時刻情報の時計表示を行い、前記アプリケーションの優先機能が動作しているときには前記時計表示を行わない時計表示部と、を備えたことを特徴とする。
【発明の効果】
【０００９】
本発明に係る携帯端末によれば、ユーザの所望する時に見やすい時計表示を行うことができる。
【図面の簡単な説明】
【００１０】
【図１】（Ａ）は本発明の一実施形態に係る携帯電話機の閉じた状態の斜視図、（Ｂ）は携帯電話機の開いた状態の斜視図。
【図２】同上の実施形態に係る携帯電話機の概略構成を示すブロック図。
【図３】優先アプリ記憶部に格納される、アプリケーションの優先機能の一覧の例を示す図。
【図４】携帯電話機における時計表示の動作を示すフローチャート。
【図５】メール作成画面における携帯電話機の時計表示の例を示す図。
【図６】着信があった場合の携帯電話機の表示例を示す図。
【図７】テレビ画面表示中の場合の携帯電話機の表示例を示す図。
【図８】特定の操作キーが押下された場合の携帯電話機の表示例を示す図。
【図９】時計表示中にアプリケーションの優先機能の動作があった場合の携帯電話機の表示例を示す図。
【発明を実施するための形態】
【００１１】
以下、本発明の実施形態を添付図面に基づいて説明する。
【００１２】
図１は、本発明の一実施形態に係る携帯端末を適用した携帯電話機１の斜視図であり、（Ａ）は閉じた状態を示し、（Ｂ）は開いた状態を示す。携帯電話機１は、矩形の板状の上筐体５０と、この上筐体５０とほぼ同形状をした下筐体５１とが、閉じた状態で、相互に一面を覆うように積層されることにより形成されている。これらの上筐体５０及び下筐体５１は、所定方向（図１のＸ方向）に相互に所定長さだけスライド可能なように結合されていて、上筐体５０を下筐体５１に対してスライドさせることにより、閉じた状態から開いた状態に、あるいは開いた状態から閉じた状態に変形される。
【００１３】
上筐体５０の外面（下筐体５１に対面しない側の面）には、文字や画像等からなる画面を表示するためのディスプレイ５２、音声を出力するためのスピーカ１４２が設けられている。ディスプレイ５２は、例えば液晶ディスプレイ（Liquid Crystal Display）や有機ＥＬ（Electro-Luminescence）等により構成される。ディスプレイ５２およびスピーカ１４２は、携帯電話機１が閉じた状態であっても開いた状態であっても外部に露出されるように設けられている。よって、携帯電話機１が閉じた状態であっても開いた状態であっても、ユーザはディスプレイ５２の画面を視認したり、携帯電話機１を用いて通話を行ったりすることができる。
【００１４】
下筐体５１の内面（上筐体５０に対面する側の面）には、ユーザが押下することにより指示を入力するための複数の操作キー５３、音声を集音するためのマイクロフォン１４１が設けられている。携帯電話機１が閉じた状態のとき、これらの操作キー５３は、上筐体５０により覆われていて外部に露出されていない。上筐体５０を下筐体５１に対してスライドさせて携帯電話機１を開いた状態に変形させたとき、操作キー５３は外部に露出されるので、ユーザは操作キー５３を介して指示を入力することができる。
【００１５】
下筐体５１の側面には、ユーザが押下することにより指示を入力するためのサイドキー５３ａが設けられている。サイドキー５３ａは、携帯電話機１が閉じた状態であっても開いた状態であっても外部に露出するように設けられている。よって、携帯電話機１が閉じた状態であっても開いた状態であっても、ユーザはサイドキー５３ａを介して指示を入力することができる。
【００１６】
図２は、本発明の一実施形態に係る携帯電話機１の概略構成を示すブロック図である。携帯電話機１は、制御部１０、電源回路部１１、表示制御部１２、キー操作検出部１３、音声制御部１４、無線通信部１５、記憶部１６、情報記憶媒体１７、時計部１８、テレビ受信部１９、タイマ２０、優先アプリ記憶部２１がバスによって相互に通信可能に接続されて構成されている。
【００１７】
電源回路部１１は、外部電源から供給される電力により充電可能な電力供給源（バッテリ等）を備え、キー操作検出部１３が操作キー５３のうちの電源キーを介した入力を検出すると、携帯電話機１の電源のＯＮ／ＯＦＦ状態を切り替えられ、電源がＯＮ状態の場合に電力供給源から各部に対して電力を供給して、携帯電話機１を動作可能にする。
【００１８】
表示制御部１２はディスプレイ５２に対する表示インタフェースを備え、制御部１０の制御に基づいて、文書や画像等からなる画面をディスプレイ５２に表示する。表示制御部１２は、開閉検出機能１０１で携帯電話機１が開いたことを検知したとき、キー操作検出部１３でキー操作を検出したとき、携帯電話機１が外部電源に接続されて充電を開始したとき、後述する優先アプリ記憶部２１に格納されるアプリケーションの動作を行っているとき等に、ディスプレイ５２を点灯させる機能を有する。
【００１９】
また表示制御部１２は、制御部１０内の時刻情報取得機能１０２が時計部１８より取得した時刻情報に基づき、ディスプレイ５２に時計を表示する。このとき表示制御部１２は、あらかじめ設定された時計の大きさやデザインでディスプレイ５２に表示することが可能である。本実施形態では、ユーザが見やすいように、大きな文字や形状で時計表示を行うものとしている。しかしながら、常時この大きな時計表示を行うと、時計表示以外のアプリケーション動作の表示を妨げる場合がある。そこで、本実施形態に係る携帯電話機１では、ユーザの所望するときにこの見やすい時計表示を行うものとしている。具体的な表示方法については後述する。
【００２０】
キー操作検出部１３は操作キー５３、及びサイドキー５３ａに対する入力インタフェースを備え、操作キー５３やサイドキー５３ａの押下またはリリースの操作を検出すると、それらの操作を示す信号を生成して、この信号を制御部１０に伝送する。
【００２１】
音声制御部１４は、制御部１０の制御に基づいて、マイクロフォン１４１で集音された音声からアナログ音声信号を生成し、このアナログ音声信号をデジタル音声信号に変換する。また音声制御部１４は、デジタル音声信号を取得すると、制御部１０の制御に基づいて、このデジタル音声信号をアナログ音声信号に変換し、スピーカ１４２から音声として出力する。
【００２２】
無線通信部１５は、制御部１０の制御に基づいて、基地局からアンテナ１５ａを介して受信した受信信号を処理してデータを復元する。このデータは、制御部１０の指示により、音声制御部１４に伝送されてスピーカ１４２から出力されたり、表示制御部１２に伝送されてディスプレイ５２に表示されたり、または記憶部１６に記録されたりする。また無線通信部１５は、制御部１０の制御に基づいて、マイクロフォン１４１で集音された音声データや、操作キー５３やサイドキー５３ａで入力されたデータや記憶部１６に記憶されたデータを取得すると、これらのデータの処理を行い、基地局に対してアンテナ１５ａを介して送信する。
【００２３】
テレビ受信部１９は、テレビアンテナ１９ａを備えていて、放送局からの地上波ディジタルワンセグ放送波、地上波デジタル放送、地上波３セグメントラジオ放送波等のテレビ放送波を、テレビアンテナ１９ａを介して受信する。そしてテレビ受信部１９は、これらの受信したテレビ放送波の受信データを音声信号と画像信号に分離して、画像信号を表示制御部１２によりディスプレイ５２に表示するとともに、音声信号を音声制御部１４によりスピーカ１４２を介して出力するテレビ視聴処理を行う。
【００２４】
時計部１８は、時刻を計時するものであり、その時刻は図示しないGPS機能等を用いて取得した時刻情報、または基地局から受信する無線信号に含まれる時刻情報に基づき、制御部１０によって修正される。
【００２５】
タイマ２０は、表示制御部１２が最後にディスプレイ５２に時計表示を行ってから、次に時計表示を行うまでの表示閾値時間Ｔを計時する。制御部１０は、タイマ２０で計時する表示閾値時間Ｔを超えるまではディスプレイ５２に時計表示を行わないよう機能する。すなわち制御部１０は、最後に時計表示を行ってからのタイマ２０の経過時間が表示閾値時間Ｔを超えている場合は、時計表示を許可し、タイマ２０の経過時間が表示閾値時間Ｔを超えていない場合は時計表示を禁止するよう機能する。なお、表示閾値時間Ｔは、予め決められた固定の値でも、ユーザにより設定可能としてもよい。
【００２６】
記憶部１６は、制御部１０や無線通信部１５などのワーク領域となるもので、ＲＡＭ（Ｒａｎｄｏｍ  Ａｃｃｅｓｓ  Ｍｅｍｏｒｙ）などにより実現できる。
【００２７】
情報記憶媒体１７（コンピュータにより読み取り可能な媒体）は、プログラムやデータなどを格納するものであり、ハードディスク、或いはメモリ（Ｆｌａｓｈ Ｍｅｍｏｒｙ、ＲＯＭ：Ｒｅａｄ  Ｏｎｌｙ  Ｍｅｍｏｒｙ）などにより実現できる。情報記憶媒体１７は、本実施形態の各部としてコンピュータを機能させるためのプログラム（各部の処理をコンピュータに実行させるためのプログラム）、複数のアプリケーション等が記憶される。
【００２８】
制御部１０は、携帯電話機１の総括的な制御を行うとともに、その他の様々な演算処理や制御処理などを行う演算装置である。制御部１０の機能は各種プロセッサ（ＣＰＵ、ＤＳＰ等）、ＡＳＩＣ（ゲートアレイ等）などのハードウェアや、プログラムにより実現できる。制御部１０は、情報記憶媒体１７に格納されるプログラム（データ）に基づいて本実施形態の種々の処理を行う。また制御部１０は、開閉検出機能１０１、時刻情報取得機能１０２を含む。開閉検出機能１０１は、上筐体５０と下筐体５１との開閉動作を検出する。時刻情報取得機能１０２は、時計部１８で設定している時刻情報を取得する。
【００２９】
優先アプリ記憶部２１は、携帯電話機１が時計表示機能よりも優先して動作させるアプリケーションとその動作状態の情報（以下優先情報と呼ぶ）の一覧を格納する。図３にその一覧の例を示す。図３より、例えば「電話」アプリケーションで「着信」動作を行っている場合は、電話着信の動作を優先させ、ディスプレイ５２に時計表示を行わない。
【００３０】
＜時計表示の動作例＞
次に上記構成の携帯電話機１における、時計表示の動作の一例について、図４のフローチャートを参照して説明する。
【００３１】
例えば、携帯電話機１が閉じられており、かつディスプレイ５２のバックライトが消灯しているときに、サイドキー５３ａが操作されると、キー操作検出部１３がこの操作を検出し、サイドキー５３ａが操作されたことを制御部１０に通知する。この通知は、制御部１０によってバックライトの点灯要求として検出され（ステップＳ１０１）、制御部１０から表示制御部１２に対して、ディスプレイ５２のバックライト（図示せず）の点灯が指示される。また制御部１０は、バックライトの点灯要求を検出すると、このときに時計部１８が示す時刻を、点灯時刻として取得する（ステップＳ１０３）。
【００３２】
なお、制御部１０の指示によって表示制御部１２がバックライトの点灯を開始してから設定された時間の間、キー操作検出部１３が操作キー５３からの操作を検出しない状態が継続すると、制御部１０は、点灯中のバックライトを消灯するよう表示制御部１２へ指示する。
【００３３】
一方、ディスプレイ５２のバックライトが点灯されているときに、上筐体５０がスライドされることにより携帯電話機１が開いた状態になると、制御部１０の開閉検出機能１０１は、携帯電話機１が開かれたことを検出する（ステップＳ１０５で「Ｙｅｓ」）。
【００３４】
制御部１０は、開閉検出機能１０１で携帯電話機１が開かれたことを検出したときに、特定キー、例えばサイドキー５３ａが同時に押下されているかをキー操作検出部１３を介して確認する（ステップＳ１０７）。なお、サイドキー５３ａは、起動されているアプリケーションに応じて様々な機能が割り当てられるが、携帯電話機１が開かれる動作と同時に押下された場合は、ディスプレイ５２に時計表示を行わせるトリガとして作用する。
【００３５】
制御部１０が、携帯電話機１が開かれるときに同時にサイドキー５３ａが押下されていることを、キー操作検出部１３を介して検出すると（ステップＳ１０７で「Ｙｅｓ」）、制御部１０は表示制御部１２に対し、時刻情報取得機能１０２が時計部１８から取得した点灯時刻に基づいて、予め定められた大きいサイズの時計を表示するよう指示する。この結果、表示制御部１２は、ディスプレイ５２に大きいサイズの時計表示を行う（ステップＳ１１５）。
【００３６】
一方、制御部１０が、携帯電話機１が開かれるときに同時にサイドキー５３ａが押下されていないことを、キー操作検出部１３を介して検出すると（ステップＳ１０７で「Ｎｏ」）、制御部１０は、優先アプリ記憶部２１を参照して、実行中のアプリケーションとその動作状態が、優先アプリ記憶部２１に記憶されている優先情報に一致するかの確認を行う（ステップＳ１１１）。
【００３７】
ここで、制御部１０が、実行中のアプリケーションとその動作状態が優先アプリ記憶部２１に記憶されている優先情報に一致することを検出すると（ステップＳ１１１で「Ｙｅｓ」）、制御部１０は表示制御部１２に対して、ディスプレイ５２に実行中のアプリケーションに基づいた通常画面の表示が行われるよう指示を行う（ステップＳ１２３）。
【００３８】
一方、実行中のアプリケーションとその動作状態が優先アプリ記憶部２１に記憶されている優先情報に一致しないことを検出すると（ステップＳ１１１で「Ｎｏ」）、制御部１０は、タイマ２０で計時している経過時間を確認する（ステップＳ１１３）。タイマ２０の経過時間が表示閾値時間Ｔを超えていない場合（ステップＳ１１３で「Ｎｏ」）、制御部１０は、時計表示を禁止するよう機能し、ディスプレイ５２に実行中のアプリケーションに基づいた通常画面の表示が行われるよう、表示制御部１２に対して指示を行う（ステップＳ１２３）。
【００３９】
一方、タイマ２０の経過時間が表示閾値時間Ｔを超えた場合（ステップＳ１１３で「Ｙｅｓ」）、制御部１０は表示制御部１２に対して、時計表示を許可するよう機能し、ディスプレイ５２に大きいサイズ時計の表示が行われるよう指示を行う（ステップＳ１１５）。
【００４０】
ステップＳ１１５の処理に基づき大きいサイズ時計の表示が行われ、例えばメール受信等、優先アプリ記憶部２１に記憶されている優先情報と一致するアプリケーションとその動作が行われる場合（ステップＳ１１７で「Ｙｅｓ」）、制御部１０は表示している大きいサイズの時計表示を終了し、実行中のアプリケーションに基づく通常画面を表示するよう表示制御部１２に対して指示を行う（ステップＳ１２１）。
【００４１】
優先情報と一致するアプリケーションとその動作状態が行われていない場合（ステップＳ１１７で「Ｎｏ」）、制御部１０は、大きいサイズの時計の表示が行われてからの経過時間を測定する。制御部１０は、この測定した経過時間が所定時間Ｔｂを経過しているか、またはキー操作検知部１３を介して操作キー５３やサイドキー５３ａからのキー操作を検出したかの確認を行う（ステップＳ１１９）。なお、所定時間Ｔｂは、上記表示閾値時間Ｔより短い時間が設定されるものとする。
【００４２】
そして、キー操作を検出していない、または測定した経過時間が所定時間Ｔｂを経過していない場合（ステップＳ１１９で「Ｎｏ」）、制御部１０は大きいサイズの時計の表示を継続させる（ステップＳ１１５）。キー操作を検出、または所定時間Ｔｂを経過している場合（ステップＳ１１９で「Ｙｅｓ」）、制御部１０は表示している大きいサイズの時計の表示を終了し（ステップＳ１２１）、ディスプレイ５２に実行中のアプリケーションに基づく通常画面を表示するよう表示制御部１２に指示する。この結果、表示制御部１２は、制御部１０からの指示に基づき、ディスプレイ５２に通常画面を表示させる（ステップＳ１２３）。
【００４３】
なお、ステップＳ１０５で、制御部１０の開閉検出機能１０１が、携帯電話機１が開かれたことを検出していない状態で（ステップＳ１０５で「Ｎｏ」）、制御部１０がキー操作検出部１３を介してサイドキー５３ａの押下を検出した場合は（ステップＳ１０９で「Ｙｅｓ」）、制御部１０は、上述のステップＳ１１１〜Ｓ１２３の処理を実行し、サイドキー５３ａの押下が検出されない場合は（ステップＳ１０９で「Ｎｏ」）、制御部１０は、表示制御部１２に対して実行中のアプリケーションに基づく通常画面の表示を継続させる（ステップＳ１２３）。
【００４４】
＜具体例＞
以下、具体的な時計表示の有無の例を図５〜図９を参照して説明する。なお、以下の例では、前回の時計表示から表示閾値時間Ｔを経過しているものとする。
【００４５】
＜例１＞
図５にメール作成画面における時計表示の例を示す。ユーザが携帯電話機１を開きメール作成画面によりメールを作成している（図５（Ａ））。ユーザがそのメール作成画面のまま携帯電話機１を閉じると、ディスプレイ５２は消灯し節電状態となる（図５（Ｂ））。任意の時間経過後にユーザが再び携帯電話機１を開くと、制御部１０はメール作成の動作が優先アプリ記憶部２１に格納される優先情報ではないと判断し、ディスプレイ５２のメール作成画面上に重畳して時計を表示する（図５（Ｃ））。そして、所定時間が経過、または任意の操作キー５３が押下されると、ディスプレイ５２にはこの時計表示が消去され、メール作成画面のみ表示される（図５（Ｄ））。
【００４６】
＜例２＞
図６に着信があった場合の表示例を示す。ユーザが携帯電話機１を開いてメール作成画面によりメールを作成している（図６（Ａ））。ユーザがその画面のまま携帯電話機１を閉じると、ディスプレイ５２は消灯し節電状態となる（図６（Ｂ））。このとき電話着信があり（図６（Ｃ））、ユーザが携帯電話機１を開くと、制御部１０は電話着信の動作が優先アプリ記憶部２１に格納される優先情報であると判断し、ディスプレイ５２に時計を表示せず、着信画面のみを表示して、引き続き電話着信を行う（図６（Ｄ））。
【００４７】
＜例３＞
図７にテレビ画面表示中の場合の表示例を示す。ユーザが携帯電話機１を開いてテレビ電波を受信しテレビ画面を表示している（図７（Ａ））。ユーザがその画面のまま携帯電話機１を閉じると、ディスプレイ５２は消灯し節電状態となる（図７（Ｂ））。任意の時間経過後にユーザが再び携帯電話機１を開くと、制御部１０はテレビ受信の動作が優先アプリ記憶部２１に格納される優先情報であると判断し、ディスプレイ５２に時計を表示せず、テレビ画面のみを表示する（図７（Ｃ））。
【００４８】
＜例４＞
図８に所定の操作キーが押下された場合の表示例を示す。ユーザがサイドキー５３ａを押下しながら閉じている携帯電話機１を開けた場合（図８（Ａ））、ディスプレイ５２にいかなる画面が表示されていても、制御部１０はその画面上に重畳して時計を表示する（図８（Ｂ））。
【００４９】
＜例５＞
図９に時計表示中に優先情報に格納される動作があった場合の表示例を示す。ディスプレイ５２に時計表示が行われている時に電話着信があった場合（図９（Ａ））、制御部１０は電話着信の動作が優先アプリ記憶部２１に格納される優先情報であると判断し、ディスプレイ５２の時計表示を消去し、着信画面のみを表示して引き続き電話着信の動作を行う（図９（Ｂ））。
【００５０】
＜携帯電話機の開閉動作が無い場合＞
携帯電話機１の開閉動作が無い場合は、ディスプレイ５２に時計は表示されない。例えば、携帯電話機１が開いている状態のまま一定時間が経過し、ディスプレイ５２のバックライトが消灯した後に、任意の操作キー５３を押下または電話着信があった場合、ディスプレイ５２のバックライトは点灯するが時計は表示されない。
【００５１】
ただし、図４のステップＳ１０９で示したように、携帯電話機１が閉じた状態のまま、サイドキー５３ａの押下を検出した場合は、実行中のアプリケーションの動作やタイマ２０の経過時間により、大きいサイズの時計の表示をするか否か判断する（ステップＳ１１１〜Ｓ１１５）また、携帯電話機１が外部電源に接続されて充電を行っている際、任意の操作キー５３やサイドキー５３ａが押下されてディスプレイ５２が点灯された場合は、ユーザが時計表示を見たいと考えられるので、ディスプレイ５２に大きいサイズの時計を表示するよう構成してもよい。
【００５２】
以上により本発明は、携帯電話機１が開いた際に、実行中のアプリケーションとその動作状態が優先アプリ記憶部２１に格納される優先情報に一致しない場合はディスプレイ５２に大きいサイズの時計を表示し、優先情報に一致する場合はディスプレイ５２に時計を表示しない。また、携帯電話機１が開いた際に、同時にサイドキー５３ａが押下されたのを検知した場合は、優先情報と一致するアプリケーションとその動作状態か否かに関わらず、時計を表示する。これにより、例えば待受時に携帯電話機１を開いた時は、ユーザが時計表示を見たいと考えられるのでディスプレイ５２に時計表示を行い、電話着信時に携帯電話機１を開いた時は、ユーザは通話動作を行うのでディスプレイ５２に時計表示を行わない、といったことが可能であり、ユーザの所望な時に携帯電話機１は時計表示を行う事ができる。
【００５３】
以上、本発明の実施形態について図面を参照して詳述してきたが、具体的な構成はこの実施形態に限られるものではなく、本発明の要旨を逸脱しない範囲の設計変更等も含まれる。
【００５４】
また、上記実施形態における携帯電話機の代わりに、無線通信機能を備えた携帯型パーソナル・コンピュータ又はＰＤＡ（Personal Digital Assistance）、携帯音楽プレイヤー、携帯ビデオカメラ、携帯ゲーム機等に本発明を適用してもよい。
【符号の説明】
【００５５】
１…携帯電話機、１０…制御部、１０１…開閉検出機能、１０２…時刻情報取得機能、１２…表示制御部、１３…キー操作検出部、１４…音声制御部、１５…無線通信部、１６…記憶部、１７…情報記憶媒体、１８…時計部、１９…テレビ受信部、２０…タイマ、２１…優先アプリ記憶部、５２…ディスプレイ、５３…操作キー、５３ａ…サイドキー。
【図１】
2011166533.tif 000003
【図２】
2011166533.tif 000004
【図３】
2011166533.tif 000005
【図４】
2011166533.tif 000006
【図５】
2011166533.tif 000007
【図６】
2011166533.tif 000008
【図７】
2011166533.tif 000009
【図８】
2011166533.tif 000010
【図９】
2011166533.tif 000011